(57)【要約】【課題】  コンパクトで構造が簡単であり、切断された把手片を等間隔で規則的に搬送路へ落下させ、互いにぶつかり合うのを防ぐ把手移送装置を提供すること。【解決手段】  把手紐を装着した帯状紙をその軸方向に沿って移送する搬送装置１と、搬送装置１の搬送途中に設置され、帯状紙を短尺の把手片に切断するカッタ２と、搬送装置１の末端部下方に設置され、把手片をその軸方向と交差するよう搬送する搬送路３とを備え、搬送装置１の末端において、搬送路３の直上に、搬送装置１から排出される把手片を受け止め、搬送装置１の搬送方向と平行な回転軸１４を中心に、一定時間毎に下方へ回動することにより、受け止めた把手片を搬送路３上へ落下させる受け板４が設置される。【選択図】          図１
2006116849.tif 000002
【特許請求の範囲】
【請求項１】
把手紐を装着した帯状紙をその軸方向に沿って移送する搬送装置と、該搬送装置の搬送途中に設置され、前記帯状紙を短尺の把手片に切断するカッタと、前記搬送装置の末端部下方に設置され、前記把手片をその軸方向と交差するよう搬送する搬送路とを備えた把手移送装置であって、前記搬送装置の末端において、前記搬送路の直上に、前記搬送装置から排出される把手片を受け止め、前記搬送装置の搬送方向と平行な回転軸を中心に、一定時間毎に下方へ回動することにより、受け止めた把手片を前記搬送路上へ落下させる受け板が設置されたことを特徴とする把手移送装置。
【請求項２】
前記搬送装置から排出された把手片の先端を位置決めして前記搬送路上に案内するガイド板を、前記搬送装置の末端から間隔をあけて対向するよう立設した請求項１に記載の把手移送装置。
【請求項３】
前記受け板に取り付けられた回転軸にギヤを固定し、該ギヤに噛み合う駆動ギヤと、回動するカムのカム面に係合したカムフォロワとをリンク機構で連絡し、前記カムの回動に伴って前記駆動ギヤを往復回転させることにより、前記受け板が一定時間毎に下方へ回動する請求項１又は２に記載の把手移送装置。
【発明の詳細な説明】
【技術分野】
【０００１】
本発明は、製袋機において、把手紐を装着した帯状紙からカッタで切断された短尺の把手片を、袋胴部の接着部分へ移送する把手移送装置に関する。
【背景技術】
【０００２】
一般的に、袋に装着される把手を製造するには、紙帯に把手紐を蛇行させて、且つ頂部が両側から突出するように貼り付け、これを中心線に沿って２分し、さらに左右の帯状紙をそれぞれカッタで短尺の把手片に切断している。
そして、切断された把手片を、一段低い位置の縦送りテーブルへ自然落下させて袋胴部の接着部分へ向けて縦送りし、袋胴部に把手片を貼り付けた後、側襞形成及び胴貼りを行い、さらに袋底を形成していた。
ところで、このように切断された把手片を縦送りテーブル上に自然落下させると、把手片の落下位置が非常に不安定であり、また、切断された把手片の尻部と後続の把手紙帯の先端部とがぶつかって、把手片や把手紙帯が曲がったり、位置がずれて縦送りできなくなる虞があった。
【０００３】
そこで、カッタから突出してきた把手紙帯をプロペラ状のフィンガーと駆動ローラとで挟持して張りつめさせ、カッタで短尺の把手片に切断した後、縦送りテーブル上に落下させると共に、回転する紙押さえフィンガーが落下する把手片の尻部をテーブル面に押さえつけ、後続の把手紙帯の先端部を紙持ち上げフィンガーで持ち上げて、先に切断した把手片と把手紙帯とがぶつからないようにした把手移送装置が公知である（特許文献１及び特許文献２参照）。
しかし、上記従来の移送装置は、把手片の落下タイミングを決定するためのプロペラ状フィンガー及び駆動ローラと、把手片と把手紙帯との衝突を防ぐ紙押さえフィンガー及び紙持ち上げフィンガーが設置されているので、装置の構造が複雑でかさばるものであった。
【０００４】
【特許文献１】実公昭５８−５４９９３号公報
【特許文献２】実公昭６０−１４５７８号公報
【発明の開示】
【発明が解決しようとする課題】
【０００５】
本発明が解決しようとする課題は、コンパクトで構造が簡単であり、切断された把手片を等間隔で規則的に、且つ、互いにぶつかり合わないよう搬送路へ落下させる把手移送装置を提供することにある。
【課題を解決するための手段】
【０００６】
本発明の把手移送装置は、把手紐を装着した帯状紙をその軸方向に沿って移送する搬送装置と、該搬送装置の搬送途中に設置され、前記帯状紙を短尺の把手片に切断するカッタと、前記搬送装置の末端部下方に設置され、前記把手片をその軸方向と交差するよう搬送する搬送路とを備え、前記搬送装置の末端において、前記搬送路の直上に、前記搬送装置から排出される把手片を受け止め、前記搬送装置の搬送方向と平行な回転軸を中心に、一定時間毎に下方へ回動することにより、受け止めた把手片を前記搬送路上へ落下させる受け板が設置される。
【０００７】
把手片を搬送路の正確な位置へ落下させるために、前記搬送装置から排出された把手片の先端を位置決めして前記搬送路上に案内するガイド板を、前記搬送装置の末端から間隔をあけて対向するよう立設すると良い。
前記受け板に取り付けられた回転軸にギヤを固定し、該ギヤに噛み合う駆動ギヤと、回動するカムのカム面に係合したカムフォロワとをリンク機構で連絡し、前記カムの回動に伴って前記駆動ギヤを往復回転させることにより、前記受け板が一定時間毎に下方へ回動するようにしても良い。
【発明の効果】
【０００８】
本発明によれば、切断された把手片を一端受け板で受け止めて一定時間毎に搬送路へ落下させるので、把手片が規則的に等間隔で搬送路上に並び、また、把手片どうしが互いにぶつかり合うこともなく、この結果、確実に正確なタイミングで把手片を移送することができる。
また、回動する受け板のみで、タイミング良く把手片を落下させると共に、把手片どうしの衝突を防ぐことができるため、装置全体がコンパクトとなり構造も簡単で済む。
【発明を実施するための最良の形態】
【０００９】
以下、本発明の実施例を図面に基づいて詳細に説明する。
本発明の把手移送装置は、図１に示すように、複数組のドローロール１ａから成る搬送装置１と、搬送装置１の途中に設置されたカッタ２と、搬送装置１の末端部下方にその搬送方向と交差するよう配設された搬送路３と、搬送装置１の末端において、搬送路３の直上に設置された受け板４とを備える。
把手移送装置の上流に設置されたスリッタによって、把手紐を装着した紙帯が中心線に沿って２分され、２分された左右の帯状紙がそれぞれ把手移送装置へ送り込まれる。そして、把手紐が装着された左右の帯状紙は、それぞれ搬送装置１によりその軸方向に沿って移送される。
【００１０】
カッタ２は、搬送装置１の搬送面上方に設置された回転刃２ａと、搬送装置１の搬送面下方に設置された固定刃２ｂとから成る。
そして、搬送装置１によって搬送される帯状紙は、カッタ２によって短尺の把手片Ａに切断される。把手片Ａは、基台紙Ｂに湾曲した把手紐Ｃをその頂部が突出するよう糊付けして成る（図３）。
切断された短尺の把手片Ａは、さらに搬送装置１によりその末端に向かって、軸方向に沿って搬送される。
【００１１】
図１及び図２に示すように、搬送路３は、帯状のテーブル５と、テーブル５の下方を走行する左右一対の送りチェーン６とから成る。
テーブル５の両側寄りには長手方向に沿ってスリット７が形成され、スリット７の直下にそれぞれ送りチェーン６が配設される。
送りチェーン６はスプロケット８によって走行駆動され、送りチェーン６に等間隔で設けられた突起爪９がスリット７を通してテーブル５の上方へ突出し、スリット７に沿って走行するようになっている。
また、テーブル５の両側縁にはそれぞれ側壁１０，１１が立設され、一方の側壁１０は搬送装置１の末端下方に臨んで配置される。他方の側壁１１は、搬送装置１から排出される把手片Ａの先端を位置決めして搬送路３上に案内するガイド板となっており、搬送装置１の末端からやや間隔をあけて対向するよう配置される。
【００１２】
受け板４は、金属板等をＬ字状に屈曲して形成され、把手片Ａを受ける受け片１２と、受け片１０の側縁から起立する起立片１３とを有する。また、起立片１３の背面には、受け片１２の側縁と平行に回転軸１４が固定される。
さらに、回転軸１４の一端寄りが、テーブル５から起立した他方の側壁１１に回動自在に取り付けられ、受け板４が他方の側壁１１から搬送装置１に向かって張り出している。  そして、受け板４の受け片１２が搬送装置１の搬送面より僅かに下方に位置すると共に、回転軸１４が搬送装置１の搬送方向と平行に設置される。なお、起立片１３は、搬送装置１で搬送される把手片Ａの把手紐Ｃ突出側と逆側に配置される。
従って、搬送装置１で搬送された把手片Ａは、受け片１２の上に排出され、その先端が他方の側壁１１に当たって位置決めされる。
【００１３】
図１及び図４に示すように、回転軸１４の一端にはギヤ１５が固定され、ギヤ１５にセクタギヤより成る駆動ギヤ１６が噛み合っている。
また、駆動ギヤ１６の基部はリンク機構を介してカムフォロワ１７に連結される。リンク機構は、往復アーム１８と揺動アーム１９とから成る。往復アーム１８の一端は駆動ギヤ１６に軸着され、往復アーム１８の他端は揺動アーム１９の一端に軸着される。また、揺動アーム１９の他端はカムフォロワ１７に軸着される。
そして、カムフォロワ１７は回転するカム２０のカム面に係合されている。
【００１４】
従って、カム２０の回転に伴ってカムフォロワ１７が揺動すると、揺動アーム１９も揺動し、揺動アーム１９に軸着された往復アーム１８が軸方向に往復動する。すると、往復アーム１８に軸着された駆動ギヤ１６が往復回転して、これに噛み合うギヤ１５が逆回りで往復回転する。
この結果、ギヤ１５が固定された回転軸１４も往復回動し、回転軸１４が取り付けられた受け板４が一定時間毎に下方に回転して、受け片１２が水平状態から下方に傾斜し、さらに水平状態に戻る。
【００１５】
受け板４の回転のタイミングは、受け片１２が水平状態にあるとき、搬送装置１が把手片Ａを排出するよう設定してあるので、搬送装置１から排出された把手片Ａは受け片１２で受け止められる。
そして、受け板４の受け片１２が下方へ回転すると、把手片Ａは搬送路３のテーブル５上へ落下する。この時、把手片Ａの軸方向はテーブル５の長手方向と交差しており、他方の側壁１１で位置決めされた把手片Ａはテーブル５上の正確な位置に案内される。
また、送りチェーン６の走行タイミングは、把手片Ａが落下してから突起爪９が落下位置に達するよう設定してあるので、図４に示すように、突起爪９は落下した把手片Ａの側縁両側寄りに当接し、送りチェーン６の走行に伴って把手片Ａをその軸方向に交差するようテーブル５に沿って移送する。
【００１６】
搬送路３の下流は袋本体を移送する移送装置と合流しており、把手片Ａは袋本体の把手取付部に糊付けされる。
なお、搬送装置１、カッタ２及び搬送路３は、従来公知の装置であって、同様の機能を有するものであれば、構成の異なる他の装置に代えることができる。
【図面の簡単な説明】
【００１７】
【図１】本発明の実施例を示す把手移送装置の正面図。
【図２】本発明の実施例を示す把手移送装置の要部側面図。
【図３】突起爪と係合した把手片の平面図。
【図４】受け板の駆動機構を示す側面図。
【符号の説明】
【００１８】
１  搬送装置
１ａ  ドローロール
２  カッタ
２ａ  回転刃
２ｂ  固定刃
３  搬送路
４  受け板
５  テーブル
６  送りチェーン
７  スリット
８  スプロケット
９  突起爪
１０  一方の側壁
１１  他方の側壁
１２  受け片
１３  起立片
１４  回転軸
１５  ギヤ
１６  駆動ギヤ
１７  カムフォロワ
１８  往復アーム
１９  揺動アーム
２０  カム
Ａ  把手片
Ｂ  基台紙
Ｃ  把手紐
【図１】
2006116849.tif 000003
【図２】
2006116849.tif 000004
【図３】
2006116849.tif 000005
【図４】
2006116849.tif 000006